(57)【要約】    【課題】  滑らかで良質な動画表示が得られるようにした場合であっても光利用効率が大幅に低下しないプロジェクタを提供する。    【解決手段】  第１レンズアレイ１２０における各第１小レンズがｙ軸方向に圧縮された平面形状を有する照明装置１００と、液晶装置４００Ｒ，４００Ｇ，４００Ｂと、投写光学系６００とを備えたプロジェクタ１０００であって、照明装置と液晶装置との間の第１小レンズ及び液晶装置と光学的に略共役な位置に配置され、照明光束の断面形状を整形するために所定の開口部７１０を有する遮光部材７００と、遮光部材からの照明光束を、液晶装置の画面書込み周波数に同期して液晶装置の画像形成領域上でｙ軸方向に沿って走査する回転プリズム７７０とをさらに備え、開口部７１０のｘ軸方向中央部におけるｙ軸方向に沿った幅Ｌ１は、開口部７１０のｘ軸方向両端部におけるｙ軸方向に沿った幅Ｌ０，Ｌ２よりも狭いことを特徴とするプロジェクタ。【選択図】  図１
2006235161.tif 000002
【特許請求の範囲】
【請求項１】
楕円面リフレクタ、前記楕円面リフレクタの第１焦点近傍に発光中心を有する発光管及び前記発光管から射出され前記楕円面リフレクタで反射される光を略平行光にする平行化レンズを有する光源装置、前記光源装置から射出される照明光束を複数の部分光束に分割するための複数の第１小レンズを有する第１レンズアレイ、前記第１レンズアレイの前記複数の第１小レンズに対応する複数の第２小レンズを有する第２レンズアレイ並びに前記第２レンズアレイの前記複数の第２小レンズから射出される各部分光束を被照明領域で重畳させるための重畳レンズを有する照明装置と、
前記照明装置からの照明光束を画像情報に応じて変調する電気光学変調装置と、
前記電気光学変調装置により変調された光を投写する投写光学系とを備えるプロジェクタであって、
前記第１レンズアレイにおける各第１小レンズは、前記照明装置から射出される照明光束を、前記電気光学変調装置の画像形成領域における縦横方向のうちいずれか一方方向については画像形成領域の全体を、他方方向については画像形成領域の一部を照明するような断面形状を有する照明光束とするように、前記他方方向に圧縮された平面形状を有し、
前記照明装置と前記電気光学変調装置との間の前記複数の第１小レンズ及び前記電気光学変調装置と光学的に略共役な位置に配置され、照明光束の断面形状を整形するために所定の開口部を有する遮光部材と、
前記遮光部材の前記電気光学変調装置側に配置され、前記遮光部材からの照明光束を、前記電気光学変調装置の画面書込み周波数に同期して前記電気光学変調装置の画像形成領域上で前記他方方向に沿って走査する回転プリズムとをさらに備え、
前記開口部の前記一方方向中央部における前記他方方向に沿った幅は、前記開口部の前記一方方向両端部における前記他方方向に沿った幅よりも狭いことを特徴とするプロジェクタ。
【請求項２】
放物面リフレクタ及び前記放物面リフレクタの焦点近傍に発光中心を有する発光管を有する光源装置、前記光源装置から射出される照明光束を複数の部分光束に分割するための複数の第１小レンズを有する第１レンズアレイ、前記第１レンズアレイの前記複数の第１小レンズに対応する複数の第２小レンズを有する第２レンズアレイ並びに前記第２レンズアレイの前記複数の第２小レンズから射出される各部分光束を被照明領域で重畳させるための重畳レンズを有する照明装置と、
前記照明装置からの照明光束を画像情報に応じて変調する電気光学変調装置と、
前記電気光学変調装置により変調された光を投写する投写光学系とを備えるプロジェクタであって、
前記第１レンズアレイにおける各第１小レンズは、前記照明装置から射出される照明光束を、前記電気光学変調装置の画像形成領域における縦横方向のうちいずれか一方方向については画像形成領域の全体を、他方方向については画像形成領域の一部を照明するような断面形状を有する照明光束とするように、前記他方方向に圧縮された平面形状を有し、
前記照明装置と前記電気光学変調装置との間の前記複数の第１小レンズ及び前記電気光学変調装置と光学的に略共役な位置に配置され、照明光束の断面形状を整形するために所定の開口部を有する遮光部材と、
前記遮光部材の前記電気光学変調装置側に配置され、前記遮光部材からの照明光束を、前記電気光学変調装置の画面書込み周波数に同期して前記電気光学変調装置の画像形成領域上で前記他方方向に沿って走査する回転プリズムとをさらに備え、
前記開口部の前記一方方向中央部における前記他方方向に沿った幅は、前記開口部の前記一方方向両端部における前記他方方向に沿った幅よりも狭いことを特徴とするプロジェクタ。
【請求項３】
請求項１又は２に記載のプロジェクタにおいて、
前記発光管には、前記発光管から被照明領域側に射出される光を前記発光管に向けて反射する補助ミラーが設けられていることを特徴とするプロジェクタ。
【請求項４】
請求項１〜３のいずれかに記載のプロジェクタにおいて、
前記発光管は、前記光源装置から射出される照明光束の照明光軸上に配置され、
前記複数の第１小レンズは、前記照明光軸が中心軸となるように上下左右対称に配置されていることを特徴とするプロジェクタ。
【請求項５】
請求項１〜３のいずれかに記載のプロジェクタにおいて、
前記発光管は、前記光源装置から射出される照明光束の照明光軸上に配置され、
前記他方方向における中心部に配置される前記複数の第１小レンズは、前記一方方向に沿って偶数列に配列されていることを特徴とするプロジェクタ。
【請求項６】
請求項１〜５のいずれかに記載のプロジェクタにおいて、
前記電気光学変調装置として、前記色分離導光光学系から射出される複数の色光をそれぞれの色光に対応する画像情報に応じて変調する複数の電気光学変調装置を備え、
前記回転プリズムと前記電気光学変調装置との間に配置され、前記回転プリズムからの照明光束を複数の色光に分離して前記複数の電気光学変調装置に導くための色分離導光光学系と、
前記複数の電気光学変調装置で変調されたそれぞれの色光を合成するクロスダイクロイックプリズムとをさらに備えることを特徴とするプロジェクタ。
【発明の詳細な説明】
【技術分野】
【０００１】
本発明は、プロジェクタに関する。 
【背景技術】
【０００２】
図１２は、従来のプロジェクタ９００Ａを説明するために示す図である。図１２（ａ）は従来のプロジェクタ９００Ａの光学系を示す図であり、図１２（ｂ）及び図１２（ｃ）はこのような従来のプロジェクタ９００Ａの問題点を説明するための図である。
このプロジェクタ９００Ａにおいては、電気光学変調装置として用いる液晶装置４００Ｒ，４００Ｇ，４００Ｂが、図１２（ｂ）に示すような輝度特性を有するホールド型の表示装置であるため、図１２（ｃ）に示すような輝度特性を有するインパルス型の表示装置であるＣＲＴの場合とは異なり、いわゆる尾引き現象のために滑らかな動画表示が得られないという問題点がある（この尾引き現象については、例えば、非特許文献１参照。）。
【０００３】
図１３は、従来の他のプロジェクタ９００Ｂを説明するために示す図である。図１３（ａ）は従来の他のプロジェクタ９００Ｂの光学系を示す図であり、図１３（ｂ）及び図１３（ｃ）はこのような従来の他のプロジェクタ９００Ｂに用いられる光シャッタを示すための図である。
このプロジェクタ９００Ｂにおいては、図１３（ａ）に示すように、液晶装置４００Ｒ，４００Ｇ，４００Ｂの光入射側に光シャッタ４２０Ｒ，４２０Ｇ，４２０Ｂを配置し、これらの光シャッタにより間欠的に光を遮断するようにして、上記した問題を解決している。すなわち、いわゆる尾引き現象を緩和して滑らかで良質な動画表示が得られるようにしている（例えば、特許文献１参照。）。
【０００４】
【非特許文献１】「ホールド型ディスプレイにおける動画表示の画質」（電子情報通信学会技報、ＥＩＤ９９−１０、第５５〜６０頁（１９９９−０６））
【特許文献１】特開２００２−１４８７１２号公報（図１〜図７）
【発明の開示】
【発明が解決しようとする課題】
【０００５】
しかしながら、このような従来の他のプロジェクタにおいては、光シャッタにより間欠的に光を遮断するようにしているため、光利用効率が大幅に低下するという問題があった。
【０００６】
本発明は、このような問題を解決するためになされたもので、滑らかで良質な動画表示が得られるようにした場合であっても光利用効率が大幅に低下しないプロジェクタを提供することを目的とする。
【課題を解決するための手段】
【０００７】
本発明のプロジェクタは、楕円面リフレクタ、前記楕円面リフレクタの第１焦点近傍に発光中心を有する発光管及び前記発光管から射出され前記楕円面リフレクタで反射される光を略平行光にする平行化レンズを有する光源装置、前記光源装置から射出される照明光束を複数の部分光束に分割するための複数の第１小レンズを有する第１レンズアレイ、前記第１レンズアレイの前記複数の第１小レンズに対応する複数の第２小レンズを有する第２レンズアレイ並びに前記第２レンズアレイの前記複数の第２小レンズから射出される各部分光束を被照明領域で重畳させるための重畳レンズを有する照明装置と、前記照明装置からの照明光束を画像情報に応じて変調する電気光学変調装置と、前記電気光学変調装置により変調された光を投写する投写光学系とを備えるプロジェクタであって、前記第１レンズアレイにおける各第１小レンズは、前記照明装置から射出される照明光束を、前記電気光学変調装置の画像形成領域における縦横方向のうちいずれか一方方向については画像形成領域の全体を、他方方向については画像形成領域の一部を照明するような断面形状を有する照明光束とするように、前記他方方向に圧縮された平面形状を有し、前記照明装置と前記電気光学変調装置との間の前記複数の第１小レンズ及び前記電気光学変調装置と光学的に略共役な位置に配置され、照明光束の断面形状を整形するために所定の開口部を有する遮光部材と、前記遮光部材の前記電気光学変調装置側に配置され、前記遮光部材からの照明光束を、前記電気光学変調装置の画面書込み周波数に同期して前記電気光学変調装置の画像形成領域上で前記他方方向に沿って走査する回転プリズムとをさらに備え、前記開口部の前記一方方向中央部における前記他方方向に沿った幅は、前記開口部の前記一方方向両端部における前記他方方向に沿った幅よりも狭いことを特徴とする。
【０００８】
このため、本発明のプロジェクタによれば、電気光学変調装置の画像形成領域における縦横方向のうちいずれか一方方向については画像形成領域の全体を、他方方向についてはその画像形成領域の一部を照明するような断面形状（すなわち他方方向に圧縮された断面形状）を有する照明光束を、電気光学変調装置の画面書込み周波数に同期して画像形成領域上で他方方向に沿って走査することができるようになるため、電気光学変調装置の画像形成領域においては光照射領域と光非照射領域とが順次交互にスクロールされるようになる。その結果、尾引き現象が緩和され、滑らかで良質な動画表示が得られるプロジェクタとなる。
【０００９】
また、本発明のプロジェクタによれば、上記したように他方方向に圧縮された断面形状を有する照明光束を、第１小レンズの平面形状を他方方向に圧縮した第１レンズアレイを用いることによって実現しているため、光シャッタを用いる場合とは異なり、光源装置から射出される照明光束を無駄無く電気光学変調装置の画像形成領域に導くことができるようになり、光利用効率が大幅に低下することがなくなる。
【００１０】
このため、本発明のプロジェクタは、滑らかで良質な動画表示が得られるようにした場合であっても光利用効率が大幅に低下しないプロジェクタとなる。
【００１１】
ところで、発光管、楕円面リフレクタ及び平行化レンズを有する光源装置においては、発光管から放射されて楕円面リフレクタで反射される光の一部は発光管自身（管球部又は封止部）によって遮られてしまう。このことは、発光管が高輝度化用の超高圧水銀灯である場合には特に顕著となる。その結果、第１レンズアレイ上における照明光束の中央部分に影が発生し（図３（ｂ）参照。）、第１レンズアレイ、第２レンズアレイ及び重畳レンズを有する光均一化光学系をもってしても電気光学変調装置の画像形成領域上における面内照度分布を完全には均一化することは困難となる（図４参照。）。その結果、画像形成領域上で照度差（一方方向両端部における照度が一方方向中央部における照度よりも低くなる。）が生じてしまい、ひいては、投写面上で均一な面内表示特性を得ることが困難になる（図５参照。）。
【００１２】
しかしながら、本発明のプロジェクタによれば、上記のような開口部を有する遮光部材を備えているため、被照明領域上では、一方方向両端部における照明光束の幅が一方方向中央部における照明光束の幅よりも広くなる。このため、このような照明光束を他方方向に走査することにより、時間平均で見れば画像形成領域における照度差が軽減されるようになり、投写面上で均一な面内表示特性が得られるようになる。
【００１３】
本発明の他のプロジェクタは、放物面リフレクタ及び前記放物面リフレクタの焦点近傍に発光中心を有する発光管を有する光源装置、前記光源装置から射出される照明光束を複数の部分光束に分割するための複数の第１小レンズを有する第１レンズアレイ、前記第１レンズアレイの前記複数の第１小レンズに対応する複数の第２小レンズを有する第２レンズアレイ並びに前記第２レンズアレイの前記複数の第２小レンズから射出される各部分光束を被照明領域で重畳させるための重畳レンズを有する照明装置と、前記照明装置からの照明光束を画像情報に応じて変調する電気光学変調装置と、前記電気光学変調装置により変調された光を投写する投写光学系とを備えるプロジェクタであって、前記第１レンズアレイにおける各第１小レンズは、前記照明装置から射出される照明光束を、前記電気光学変調装置の画像形成領域における縦横方向のうちいずれか一方方向については画像形成領域の全体を、他方方向については画像形成領域の一部を照明するような断面形状を有する照明光束とするように、前記他方方向に圧縮された平面形状を有し、前記照明装置と前記電気光学変調装置との間の前記複数の第１小レンズ及び前記電気光学変調装置と光学的に略共役な位置に配置され、照明光束の断面形状を整形するために所定の開口部を有する遮光部材と、前記遮光部材の前記電気光学変調装置側に配置され、前記遮光部材からの照明光束を、前記電気光学変調装置の画面書込み周波数に同期して前記電気光学変調装置の画像形成領域上で前記他方方向に沿って走査する回転プリズムとをさらに備え、前記開口部の前記一方方向中央部における前記他方方向に沿った幅は、前記開口部の前記一方方向両端部における前記他方方向に沿った幅よりも狭いことを特徴とする。
【００１４】
本発明の他のプロジェクタは、上記のように本発明のプロジェクタとは光源装置の構成が異なっているが、上記のような開口部を有する遮光部材を備えているため、本発明のプロジェクタの場合と同様に、被照明領域上では、一方方向両端部における照明光束の幅が一方方向中央部における照明光束の幅よりも広くなる。このため、このような照明光束を他方方向に走査することにより、時間平均で見れば画像形成領域における照度差が軽減されるようになり、投写面上で均一な面内表示特性が得られるようになる。
【００１５】
本発明のプロジェクタ又は本発明の他のプロジェクタにおいては、前記発光管には、前記発光管から被照明領域側に射出される光を前記発光管に向けて反射する補助ミラーが設けられていることが好ましい。
【００１６】
このように構成することにより、発光管から被照明領域側に放射される光が発光管に向けて反射されるため、発光管の被照明領域側端部を覆うような大きさに楕円面リフレクタ又は放物面リフレクタの大きさを設定することを必要とせず、楕円面リフレクタ又は放物面リフレクタの小型化を図ることができ、プロジェクタの小型化を図ることができるという効果がある。
【００１７】
ところで、発光管に補助ミラーが設けられたプロジェクタにおいては、発光管から放射されて楕円面リフレクタ又は放物面リフレクタで反射される光の一部は補助ミラーによっても遮られてしまい、電気光学変調装置の画像形成領域上における面内照度分布を均一化することがさらに困難となる。その結果、画像形成領域上で、一方方向両端部における照度がさらに低くなり、ひいては、投写面上で均一な面内表示特性が得ることがさらに困難になる。
【００１８】
しかしながら、本発明のプロジェクタ又は本発明の他のプロジェクタによれば、上記のような開口部を有する遮光部材を備えているため、被照明領域における照度差が軽減されるようになり、発光管に補助ミラーが設けられたプロジェクタにおいても、投写面上で均一な面内表示特性が得られるようになる。
【００１９】
本発明のプロジェクタ又は本発明の他のプロジェクタにおいては、前記発光管は、前記光源装置から射出される照明光束の照明光軸上に配置され、前記複数の第１小レンズは、前記照明光軸が中心軸となるように上下左右対称に配置されていることが好ましい。
また、本発明のプロジェクタ又は本発明の他のプロジェクタにおいては、前記発光管は、前記光源装置から射出される照明光束の照明光軸上に配置され、前記他方方向における中心部に配置される前記複数の第１小レンズは、前記一方方向に沿って偶数列に配列されていることが好ましい。なお、「前記他方方向における中心部に配置される前記複数の第１小レンズ」とは、第１レンズアレイにおいて上記した発光管の影がかかってしまう部分の第１小レンズが属する行における複数の第１小レンズのことである。
【００２０】
本発明のプロジェクタ又は本発明の他のプロジェクタにおいては、前記電気光学変調装置として、前記色分離導光光学系から射出される複数の色光をそれぞれの色光に対応する画像情報に応じて変調する複数の電気光学変調装置を備え、前記回転プリズムと前記電気光学変調装置との間に配置され、前記回転プリズムからの照明光束を複数の色光に分離して前記複数の電気光学変調装置に導くための色分離導光光学系と、前記複数の電気光学変調装置で変調されたそれぞれの色光を合成するクロスダイクロイックプリズムとをさらに備えることが好ましい。
【００２１】
このように構成することにより、滑らかで良質な動画表示が得られるようにした場合であっても光利用効率が大幅に低下しないプロジェクタを、画像品質の優れた（例えば３板式の）フルカラープロジェクタとすることができるようになる。
【発明を実施するための最良の形態】
【００２２】
以下、本発明のプロジェクタについて、図に示す実施の形態に基づいて説明する。
【００２３】
〔実施形態１〕
図１は、実施形態１に係るプロジェクタ１０００を説明するために示す図である。図１（ａ）はプロジェクタ１０００の光学系を上面から見た図であり、図１（ｂ）はプロジェクタ１０００の光学系を側面から見た図であり、図１（ｃ）は第１レンズアレイ１２０の正面図であり、図１（ｄ）は遮光部材７００上における照明状態を示す図であり、図１（ｅ）は液晶装置４００Ｒ上における照明状態を示す図である。
なお、以下の説明においては、互いに直交する３つの方向をそれぞれｚ軸方向（図１（ａ）における照明光軸１００ａｘ方向）、ｘ軸方向（図１（ａ）における紙面に平行かつｚ軸に直交する方向）及びｙ軸方向（図１（ａ）における紙面に垂直かつｚ軸に直交する方向）とする。
【００２４】
実施形態１に係るプロジェクタ１０００は、図１に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する電気光学変調装置としての３つの液晶装置４００Ｒ，４００Ｇ，４００Ｂと、これら３つの液晶装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００２５】
照明装置１００は、被照明領域側に略平行な照明光束を射出する光源装置１１０と、光源装置１１０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２（図示せず。）を有する第２レンズアレイ１３０と、光源装置１１０から射出される偏光方向の揃っていない照明光束を１種類の直線偏光に揃える偏光変換素子１４０と、偏光変換素子１４０から射出される各部分光束を被照明領域で重畳させるための重畳レンズ１５０とを有している。
【００２６】
光源装置１１０は、楕円面リフレクタ１１４と、楕円面リフレクタ１１４の第１焦点近傍に発光中心を有する発光管１１２と、楕円面リフレクタ１１４で反射される集束光を略平行な光に変換する平行化レンズ１１８とを有している。
【００２７】
発光管１１２は、管球部と、管球部の両側に延びる一対の封止部とを有している。
楕円面リフレクタ１１４は、発光管１１２の一方の封止部に挿通・固着される筒状の首状部と、発光管１１２から放射された光を第２焦点位置に向けて反射する反射凹面とを有している。
【００２８】
平行化レンズ１１８は、凹レンズからなり、楕円面リフレクタ１１４の被照明領域側に配置されている。そして、楕円面リフレクタ１１４からの光を略平行化するように構成されている。
【００２９】
第１レンズアレイ１２０は、平行化レンズ１１８からの光を複数の部分光束に分割する光束分割光学素子としての機能を有し、照明光軸１００ａｘと直交する面内にマトリクス状に配列される複数の第１小レンズ１２２を備えた構成を有している。
【００３０】
第２レンズアレイ１３０は、上述した第１レンズアレイ１２０により分割された複数の部分光束を集光する光学素子であり、第１レンズアレイ１２０と同様に照明光軸１００ａｘに直交する面内にマトリクス状に配列される複数の第２小レンズ１３２を備えた構成を有している。
【００３１】
偏光変換素子１４０は、第１レンズアレイ１２０により分割された各部分光束の偏光方向を、偏光方向の揃った略１種類の直線偏光光として射出する偏光変換素子である。
【００３２】
重畳レンズ１５０は、第１レンズアレイ１２０、第２レンズアレイ１３０及び偏光変換素子１４０を経た複数の部分光束を集光して液晶装置４００Ｒ，４００Ｇ，４００Ｂの画像形成領域Ｓ上に重畳させる光学素子である。
【００３３】
重畳レンズ１５０から射出された光束は、回転プリズム７７０に入射する。回転プリズム７７０は、照明装置１００と液晶装置４００Ｒ，４００Ｇ，４００Ｂとの間に配置され、液晶装置４００Ｒ，４００Ｇ，４００Ｂの画面書込み周波数に同期して画像形成領域Ｓ上で縦方向（ｙ軸方向）に沿って照明光束を走査する機能を有している。回転プリズム７７０の前後に配置されたフィールドレンズ７５０，７５２は、後述するリレーレンズ２４０，２４２に対して有効に光を入射させるために設けられている。
【００３４】
図２は、回転プリズム７７０の回転と液晶装置４００Ｒ,４００Ｇ,４００Ｂ上の照明状態との関係を示す図である。図２（ａ）は回転プリズム７７０を回転軸７７２に沿って見たときの断面図である。図２（ｂ）は回転プリズム７７０を照明光軸１００ａｘに沿って見たときの図である。図２（ｃ）は液晶装置４００Ｒ,４００Ｇ,４００Ｂの画像形成領域Ｓ上における照明光束の照射状態を示す図である。
【００３５】
照明光軸１００ａｘ上における第１レンズアレイ１２０の仮想中心点の像Ｐから射出される光は、図２（ａ）〜図２（ｃ）に示すように、回転プリズム７７０が回転すると、回転プリズム７７０の光通過面によって所定の屈折を受ける。その結果、液晶装置４００Ｒ，４００Ｇ，４００Ｂの画像形成領域Ｓにおいては光照射領域と光非照射領域とが順次スクロールされるようになる。
【００３６】
色分離導光光学系２００は、図１（ａ）に示すように、ダイクロイックミラー２１０，２１４と、反射ミラー２１２，２１６，２１８，２２０，２２２と、リレーレンズ２４０，２４２とを有している。色分離導光光学系２００は、回転プリズム７７０から射出される照明光束を赤色光、緑色光及び青色光の３つの色光に分離して、それぞれの色光を照明対象となる液晶装置４００Ｒ，４００Ｇ，４００Ｂに導く機能を有している。色分離導光光学系２００としては、照明装置１００から液晶装置４００Ｒ，４００Ｇ，４００Ｂまでの光路長が等しい等光路長光学系を用いている。
【００３７】
ダイクロイックミラー２１０は、回転プリズム７７０から射出される光のうち赤色光成分と緑色光成分とを透過させるとともに、青色光成分を反射する。ダイクロイックミラー２１０で反射された青色光成分は、反射ミラー２１８で反射され、リレーレンズ２４２を経て、反射ミラー２２０，２２２で反射された後、フィールドレンズ２４８を通過して青色光用の液晶装置４００Ｂに達する。一方、ダイクロイックミラー２１０を透過した赤色光成分及び緑色光成分は、反射ミラー２１２で反射され、リレーレンズ２４０を通過する。ここで、リレーレンズ２４０から射出された赤色光成分及び緑色光成分のうち赤色光成分は、ダイクロイックミラー２１４を透過して、さらに反射ミラー２１６で反射されて、フィールドレンズ２４４を通過して赤色光用の液晶装置４００Ｒに達する。また、ダイクロイックミラー２１４で反射された緑色光成分は、さらに反射ミラー２１８で反射されて、フィールドレンズ２４６を通過して緑色光用の液晶装置４００Ｇに達する。なお、液晶装置４００Ｒ，４００Ｇ，４００Ｂの各色光の光路前段に設けられたフィールドレンズ２４４，２４６，２４８は、第２レンズアレイ１３０から射出された各部分光束を、各主光線に対して略平行な光束に変換するために設けられている。
【００３８】
液晶装置４００Ｒ，４００Ｇ，４００Ｂは、照明光束を画像情報に応じて変調してカラー画像を形成するものであり、照明装置１００の照明対象となる。なお、図示を省略したが、フィールドレンズ２４４，２４６，２４８と各液晶装置４００Ｒ，４００Ｇ，４００Ｂとの間には、それぞれ入射側偏光板が介在配置され、各液晶装置４００Ｒ，４００Ｇ，４００Ｂとクロスダイクロイックプリズム５００との間には、それぞれ射出側偏光板が介在配置されている。これら入射側偏光板、液晶装置４００Ｒ，４００Ｇ，４００Ｂ及び射出側偏光板によって入射する各色光の光変調が行われる。
液晶装置４００Ｒ，４００Ｇ，４００Ｂは、一対の透明なガラス基板に電気光学物質である液晶を密閉封入したものであり、例えば、ポリシリコンＴＦＴをスイッチング素子として、与えられた画像信号に従って、入射側偏光板から射出された１種類の直線偏光の偏光方向を変調する。
液晶装置４００Ｒ,４００Ｇ,４００Ｂとしては、「ｙ軸方向に沿った縦寸法：ｘ軸方向に沿った横寸法＝９：１６の長方形」の平面形状を有するワイドビジョン用の液晶装置を用いている。
【００３９】
クロスダイクロイックプリズム５００は、射出側偏光板から射出された各色光毎に変調された光学像を合成して、カラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
クロスダイクロイックプリズム５００から射出されたカラー画像は、投写光学系６００によって拡大投写され、スクリーンＳＣＲ上で大画面画像を形成する。
【００４０】
実施形態１に係るプロジェクタ１０００は、第１レンズアレイ１２０の構成（及びこれに対応して第２レンズアレイ１３０の構成）、回転プリズム７７０からなる走査手段を用いたこと及び遮光部材７００の構成を特徴としている。
以下、実施形態１に係るプロジェクタ１０００における第１レンズアレイ１２０及び遮光部材７００について詳細に説明する。
【００４１】
１．第１レンズアレイ
第１レンズアレイ１２０は、図１（ｃ）に示すように、第１小レンズ１２２が横方向に４列、縦方向に１０行に配置された構造を有している。また、第１レンズアレイ１２０における第１小レンズ１２２は、「ｙ軸方向に沿った縦寸法：ｘ軸方向に沿った横寸法＝１：４の長方形」の平面形状を有している。
【００４２】
すなわち、第１レンズアレイ１２０における第１小レンズ１２２は、照明装置１００から射出される照明光束を、液晶装置４００Ｒ，４００Ｇ，４００Ｂの画像形成領域Ｓにおける縦横方向のうち、ｘ軸方向に沿った横方向については画像形成領域Ｓの全体を、ｙ軸方向に沿った縦方向についてはその画像形成領域Ｓの約５０％を照明するような断面形状を有する照明光束とするように、縦方向に圧縮された「ｙ軸方向に沿った縦寸法：ｘ軸方向に沿った横寸法＝１：４の長方形」からなる平面形状（図１（ｄ）参照。）を有している。
【００４３】
２．遮光部材
図３は、画像形成領域Ｓ上で照度差が生じる原因を説明するために示す図である。図３（ａ）は発光管からの光の軌跡を示す図であり、図３（ｂ）は第１レンズアレイ１２０上での照明光束の面内照度分布を示す図である。
図４は、画像形成領域Ｓ上の面内照度分布を示す図である。図４（ａ）は画像形成領域Ｓ上の面内照度分布を模式的に示す図であり、図４（ｂ）は画像形成領域Ｓ上の面内照度分布をグラフ化して示す図である。
図５は、画像形成領域Ｓ上の照度差がスクリーンＳＣＲ上での面内表示特性を劣化させる様子を示す図である。図５（ａ）はスクリーンＳＣＲ上の面内照度分布を模式的に示す図であり、図５（ｂ）はスクリーンＳＣＲ上の面内照度分布をグラフ化して示す図である。
【００４４】
図６は、実施形態１に係るプロジェクタ１０００の効果を説明するために示す図である。図６（ａ）は遮光部材７００の平面形状を示す図であり、図６（ｂ）は画像形成領域Ｓ上の面内照度分布を模式的に示す図であり、図６（ｃ）は画像形成領域Ｓ上の面内照度分布をグラフ化して示す図である。
図７は、実施形態１に係るプロジェクタ１０００の効果を説明するために示す図である。図７（ａ）はスクリーンＳＣＲ上の面内照度分布を模式的に示す図であり、図７（ｂ）はスクリーンＳＣＲ上の面内照度分布をグラフ化して示す図である。
【００４５】
遮光部材７００は、図１（ａ）及び図１（ｂ）に示すように、照明装置１００と色分離導光光学系２００との間の各第１小レンズ１２２及び液晶装置４００Ｒ，４００Ｇ，４００Ｂと光学的に略共役な位置に配置され、照明光束の断面形状を整形するために所定の開口部７１０を有している。
開口部７１０は、図６（ａ）に示すように、開口部７１０のｘ軸方向中央部におけるｙ軸方向に沿った幅Ｌ１は、開口部７１０のｘ軸方向両端部におけるｙ軸方向に沿った幅Ｌ０，Ｌ２よりも狭く構成されている。また、開口部７１０は、ｙ軸方向両端部における辺が直線形状である。
【００４６】
ここで、光源装置１１０と第１レンズアレイ１２０との相対位置関係を説明する。
光源装置１１０の発光管１１２は、発光中心が楕円面リフレクタ１１４の第１焦点近傍に位置するように配置されている。楕円面リフレクタ１１４は、光源装置１１０から射出される照明光束の中心軸である照明光軸１００ａｘ上に第１焦点と第２焦点とを有する回転楕円面を有する。平行化レンズ１１８は、照明光軸１００ａｘ上にレンズ光軸を有する凹レンズである。
実施形態１に係るプロジェクタ１０００においては、発光管１１２は、照明光軸１００ａｘ上に配置されている。第１レンズアレイ１２０の中心部に配置される複数の第１小レンズ１２２は、ｘ軸方向に沿って４列に配列されている。また、第１レンズアレイ１２０の複数の第１小レンズ１２２は、照明光軸１００ａｘが中心軸となるように上下左右対称に配置されている。
【００４７】
次に、光源装置１１０から射出され第１レンズアレイ１２０に入射する照明光束について説明する。
【００４８】
実施形態１に係るプロジェクタ１０００においては、図３（ａ）に示すように、発光管１１２から放射されて楕円面リフレクタ１１４で反射される光の一部は発光管１１２自身（管球部又は封止部）によって遮られてしまう。その結果、図３（ｂ）に示すように、第１レンズアレイ１２０上における照明光束の中央部分に影が発生する。
第１レンズアレイ１２０上にこのような影が発生すると、第１レンズアレイ１２０における複数の第１小レンズ１２２のうち照明光軸１００ａｘ付近の第１小レンズ１２２においては、図３（ｂ）に示すように、横方向（ｘ軸方向）の一方の端部側にそれぞれ影が存在するために一方の端部のみ照度が低くなってしまう。
【００４９】
このような照度分布を有する第１レンズアレイ１２０からの各部分光束を液晶装置４００Ｒ，４００Ｇ，４００Ｂの画像形成領域Ｓ上にそのまま重畳させた場合、実施形態１のように第１レンズアレイ１２０、第２レンズアレイ１３０及び重畳レンズ１５０を有する光均一化光学系をもってしても、液晶装置４００Ｒ，４００Ｇ，４００Ｂの画像形成領域Ｓ上における面内照度分布を完全には均一化することは困難となる。その結果、図４に示すように、画像形成領域Ｓ上でｘ軸方向両端部における照度がｘ軸方向中央部における照度よりも低くなり、ひいては、図５に示すように、投写面上で均一な面内表示特性を得ることが困難になる。
【００５０】
しかしながら、実施形態１に係るプロジェクタ１０００によれば、上記のような開口部７１０を有する遮光部材７００を備えているため、図６（ｂ）に示すように、画像形成領域Ｓ上では、ｘ軸方向両端部Ｄ０，Ｄ２における照明光束の幅がｘ軸方向中央部Ｄ１における照明光束の幅よりも広くなる。このため、このような照明光束をｙ軸方向に走査することにより、図６（ｃ）に示すように、時間平均で見れば画像形成領域Ｓにおける照度差が軽減されるようになり、図７に示すように、スクリーンＳＣＲ上で均一な面内表示特性が得られるようになる。
【００５１】
実施形態１に係るプロジェクタ１０００によれば、上記したように縦方向に圧縮された断面形状を有する照明光束を、第１レンズアレイ１２０として第１小レンズ１２２の平面形状を縦方向に圧縮したレンズアレイを用いることによって実現しているため、光シャッタを用いる場合と異なり、光源装置１１０から射出される照明光束を無駄無く液晶装置４００Ｒ，４００Ｇ，４００Ｂの画像形成領域に導くことができるようになり、光利用効率が大幅に低下することがなくなる。
【００５２】
このため、実施形態１に係るプロジェクタ１０００によれば、液晶装置４００Ｒ，４００Ｇ，４００Ｂの画像形成領域Ｓにおける縦横方向のうち、ｘ軸方向に沿った横方向については画像形成領域Ｓの全体を、ｙ軸方向に沿った縦方向についてはその画像形成領域Ｓの一部を照明するような断面形状（すなわち縦方向に圧縮された断面形状）を有する照明光束を、液晶装置４００Ｒ，４００Ｇ，４００Ｂの画面書込み周波数に同期して画像形成領域Ｓ上でｙ軸方向に沿って走査することができるようになるため、液晶装置４００Ｒ，４００Ｇ，４００Ｂの画像形成領域Ｓにおいては光照射領域と光非照射領域とが順次にスクロールされるようになる。その結果、尾引き現象が緩和され、滑らかで良質な動画表示が得られるプロジェクタとなる。
【００５３】
以上、実施形態１に係るプロジェクタ１０００における第１レンズアレイ１２０及び遮光部材７００について詳細に説明したが、実施形態１に係るプロジェクタ１０００においては以下のような特徴も有している。
【００５４】
実施形態１に係るプロジェクタ１０００においては、電気光学変調装置として、色分離導光光学系２００から射出される３つの色光をそれぞれの色光に対応する画像情報に応じて変調する３つの液晶装置４００Ｒ，４００Ｇ，４００Ｂを備えている。また、回転プリズム７７０と液晶装置４００Ｒ，４００Ｇ，４００Ｂとの間に配置され、回転プリズム７７０からの照明光束を３つの色光に分離して液晶装置４００Ｒ，４００Ｇ，４００Ｂに導くための色分離導光光学系２００と、液晶装置４００Ｒ，４００Ｇ，４００Ｂで変調されたそれぞれの色光を合成するクロスダイクロイックプリズム５００とをさらに備えている。
【００５５】
このため、実施形態１に係るプロジェクタ１０００によれば、滑らかで良質な動画表示が得られるようにした場合であっても光利用効率が大幅に低下しないプロジェクタを、画像品質の優れた３板式のフルカラープロジェクタとすることができるようになる。
【００５６】
実施形態１に係るプロジェクタ１０００においては、光源装置１１０からの照明光束を１種類の直線偏光に揃えて射出する偏光変換素子１４０をさらに有している。
偏光変換素子１４０は、光源装置１１０からの照明光束に含まれる偏光成分のうち一方の直線偏光成分をそのまま透過し、他方の直線偏光成分を照明光軸１００ａｘに垂直な方向に反射する偏光分離層と、偏光分離層で反射された他方の直線偏光成分を照明光軸１００ａｘに平行な方向に反射する反射層と、偏光分離層を透過した一方の直線偏光成分と反射層で反射された他方の直線偏光成分とのうちいずれか一方の直線偏光成分に揃えるように偏光変換する位相差板とを有している。
【００５７】
このため、偏光変換素子１４０の作用により光源装置１１０からの照明光束を一方の偏光軸を有する１種類の直線偏光に変換することができるようになるため、実施形態１に係るプロジェクタ１０００のように、電気光学変調装置として液晶装置等のように１種類の直線偏光を利用するタイプの電気光学変調装置を用いる場合に、光源装置１１０からの照明光束を有効に利用することができる。
【００５８】
実施形態１に係るプロジェクタ１０００においては、回転プリズム７７０の光透過面には、減反射膜が形成されている。このため、回転プリズム７７０における光透過率が向上するため、光利用効率の低下を最小限のものにすることができるとともに、迷光レベルが低減しコントラストが向上する。
【００５９】
〔実施形態２〕
図８は、実施形態２に係るプロジェクタ１００２の効果を説明するために示す図である。図８（ａ）は遮光部材７０２の平面形状を示す図であり、図８（ｂ）は画像形成領域Ｓ上の面内照度分布を模式的に示す図であり、図８（ｃ）は画像形成領域Ｓ上の面内照度分布をグラフ化して示す図である。
図９は、実施形態２に係るプロジェクタ１００２の効果を説明するために示す図である。図９（ａ）はスクリーンＳＣＲ上の面内照度分布を模式的に示す図であり、図９（ｂ）はスクリーンＳＣＲ上の面内照度分布をグラフ化して示す図である。
【００６０】
実施形態２に係るプロジェクタ１００２（図示せず。）は、基本的には実施形態１に係るプロジェクタ１０００とよく似た構成を有しているが、図８（ａ）に示すように、実施形態１に係るプロジェクタ１０００とは、遮光部材の構成が異なっている。
すなわち、実施形態２に係るプロジェクタ１００２においては、遮光部材として、ｙ軸方向両端部における辺が曲線状をした開口部７１２を有する遮光部材７０２を備えている。
【００６１】
このように、実施形態２に係るプロジェクタ１００２は、実施形態１に係るプロジェクタ１０００とは、細かい構成は異なるものの、図８（ａ）に示すように、開口部７１２のｘ軸中央部におけるｙ軸方向に沿った幅が開口部７１２のｘ軸方向両端部におけるｙ軸方向に沿った幅よりも狭く構成された遮光部材７０２を備えているため、実施形態１に係るプロジェクタ１０００の場合と同様に、画像形成領域Ｓ上では、図８（ｂ）に示すように、ｘ軸方向両端部Ｄ０，Ｄ２における照明光束の幅がｘ軸方向中央部Ｄ１における照明光束の幅よりも広くなる。このため、このような照明光束をｙ軸方向に走査することにより、図８（ｃ）に示すように、時間平均で見れば画像形成領域Ｓにおける照度差が軽減されるようになり、図９に示すように、スクリーンＳＣＲ上で均一な面内表示特性が得られるようになる。
【００６２】
なお、実施形態２に係るプロジェクタ１００２は、この他の点では、実施形態１に係るプロジェクタ１０００と同様の構成を有するため、実施形態１に係るプロジェクタ１０００の場合と同様の効果を有する。
【００６３】
〔実施形態３〕
図１０は、実施形態３に係るプロジェクタ１００４の光学系を示す図である。図１０（ａ）はプロジェクタ１００４の光学系を上面から見た図であり、図１０（ｂ）はプロジェクタ１００４の光学系を側面から見た図である。
【００６４】
実施形態３に係るプロジェクタ１００４は、基本的には実施形態１に係るプロジェクタ１０００とよく似た構成を有しているが、図１０（ａ）に示すように、実施形態１に係るプロジェクタ１０００とは、色分離導光光学系の構成が異なっている。
すなわち、実施形態３に係るプロジェクタ１００４においては、色分離導光光学系２０２として、各液晶装置４００Ｒ，４００Ｇ，４００Ｂ上で光照射領域と光非照射領域とがスクロールされる方向をすべて同一の方向とするために、ダブルリレー光学系１９０を用いている。
【００６５】
色分離導光光学系２０２は、図１０（ａ）に示すように、ダイクロイックミラー２６０，２６２と、反射ミラー２６４と、ダブルリレー光学系１９０とを有している。ダブルリレー光学系１９０は、リレーレンズ１９１，１９２，１９４，１９５，１９７と、反射ミラー１９３，１９６と、フィールドレンズ１９８とを有している。また、色分離導光光学系２０２の光路前段には、リレーレンズ７５４が配置されている。
【００６６】
ダイクロイックミラー２６０は、回転プリズム７７０から射出される光のうち赤色光成分を反射するとともに、緑色光成分及び青色光成分を透過させる。ダイクロイックミラー２６０で反射された赤色光成分は、反射ミラー２６４で反射されて、フィールドレンズ１７６Ｒを通過して赤色光用の液晶装置４００Ｒに達する。
ダイクロイックミラー２６０を透過した緑色光成分及び青色光成分のうち緑色光成分は、ダイクロイックミラー２６２によって反射され、フィールドレンズ１７６Ｇを通過して緑色光用の液晶装置４００Ｇに達する。一方、ダイクロイックミラー２６０を透過した青色光成分は、ダイクロイックミラー２６２を透過し、ダブルリレー光学系１９０を通過して青色光用の液晶装置４００Ｂに達する。液晶装置４００Ｒ，４００Ｇ，４００Ｂの各色光の光路前段に設けられたフィールドレンズ１７６Ｒ，１７６Ｇ，１９８は、第２レンズアレイ１３０から射出された各部分光束を、各主光線に対して略平行な光束に変換するために設けられている。
【００６７】
ここで、青色光の光路にダブルリレー光学系１９０が設けられているのは、青色光の光路の長さが、他の色光の光路の長さよりも長いため、光の発散等による光の利用効率低下を防止するとともに、各液晶装置４００Ｒ，４００Ｇ，４００Ｂ上で光照射領域と光非照射領域とがスクロールされる方向をすべて同一の方向とするために設けられている。なお、実施形態３に係るプロジェクタ１００４においては、３つの色光のうち青色光の光路にダブルリレー光学系１９０を用いた構成としたが、赤色光等のその他の色光の光路にこのようなダブルリレー光学系を用いた構成としてもよい。
【００６８】
このように、実施形態３に係るプロジェクタ１００４は、実施形態１に係るプロジェクタ１０００とは、色分離導光光学系の構成が異なるが、実施形態１に係るプロジェクタ１０００におけるのと同様の開口部７１０を有する遮光部材７００を備えているため、実施形態１に係るプロジェクタ１０００の場合と同様に、画像形成領域Ｓ上では、ｘ軸方向両端部における照明光束の幅がｘ軸方向中央部における照明光束の幅よりも広くなる。このため、このような照明光束をｙ軸方向に走査することにより、画像形成領域Ｓにおける照度差が軽減されるようになり、スクリーンＳＣＲ上で均一な面内表示特性が得られるようになる。
【００６９】
なお、実施形態３に係るプロジェクタ１００４は、この他の点では、実施形態１に係るプロジェクタ１０００と同様の構成を有するため、実施形態１に係るプロジェクタ１０００の場合と同様の効果を有する。
【００７０】
〔実施形態４〕
図１１は、実施形態４に係るプロジェクタ１００６の光学系を示す図である。図１１（ａ）はプロジェクタ１００６の光学系を上面から見た図であり、図１１（ｂ）はプロジェクタ１００６の光学系を側面から見た図である。図１１（ｃ）は第１レンズアレイ１２０の正面図であり、図１１（ｄ）は遮光部材７００上における照明状態を示す図であり、図１１（ｅ）は液晶装置４００Ｒ上における照明状態を示す図である。
【００７１】
実施形態４に係るプロジェクタ１００６は、基本的には実施形態１に係るプロジェクタ１０００とよく似た構成を有しているが、図１１（ａ）及び図１１（ｂ）に示すように、発光管に補助ミラーが設けられている点で、実施形態１に係るプロジェクタ１０００の場合と異なっている。すなわち、実施形態４に係るプロジェクタ１００６においては、発光管１１２には、発光管１１２から被照明領域側に射出される光を発光管１１２に向けて反射する補助ミラー１１６が設けられている。
【００７２】
このように、実施形態４に係るプロジェクタ１００６は、実施形態１に係るプロジェクタ１０００とは、発光管に補助ミラーが設けられている点で異なるが、この他の点では、実施形態１に係るプロジェクタ１０００と同様の構成を有するため、実施形態１に係るプロジェクタ１００６の場合と同様の効果を有する。
【００７３】
また、実施形態４に係るプロジェクタ１００６によれば、発光管１１２から被照明領域側に放射される光が発光管１１２に向けて反射されるため、発光管１１２の被照明領域側端部を覆うような大きさに楕円面リフレクタ１１４の大きさを設定することを必要とせず、楕円面リフレクタの小型化を図ることができ、プロジェクタの小型化を図ることができる。
【００７４】
ところで、実施形態４に係るプロジェクタ１００６においては、発光管１１２から放射されて楕円面リフレクタ１１４で反射される光の一部は補助ミラー１１６によっても遮られてしまい、液晶装置４００Ｒ，４００Ｇ，４００Ｂの画像形成領域Ｓ上における面内照度分布を均一化することがさらに困難となることが考えられる。
【００７５】
しかしながら、実施形態４に係るプロジェクタ１００６によれば、上記のような開口部７１０を有する遮光部材７００を備えているため、画像形成領域Ｓにおける照度差が軽減されるようになり、発光管１１２に補助ミラー１１６が設けられたプロジェクタにおいても、スクリーンＳＣＲ上で均一な面内表示特性が得られるようになる。
【００７６】
以上、本発明のプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。 
【００７７】
（１）上記各実施形態のプロジェクタ１０００〜１００６は、光源装置１１０として、楕円面リフレクタ１１４、楕円面リフレクタ１１４の第１焦点近傍に発光中心を有する発光管１１２及び発光管１１２から射出され楕円面リフレクタ１１４で反射される光を略平行光にする平行化レンズ１１８を有する光源装置を用いたが、本発明はこれに限定されるものではなく、放物面リフレクタ及び前記放物面リフレクタの焦点近傍に発光中心を有する発光管を有する光源装置を用いることもできる。
【００７８】
（２）上記各実施形態のプロジェクタ１０００〜１００６は、第１レンズアレイ１２０の第１小レンズ１２２の平面形状としては、「縦寸法：横寸法＝１：４の長方形」のものを用いたが、本発明はこれに限定されるものではなく、例えば、「縦寸法：横寸法＝９：３２の長方形」のものや「縦寸法：横寸法＝３：８の長方形」のものなどをも好ましく用いることができる。
【００７９】
（３）上記各実施形態において、３つの液晶装置４００Ｒ，４００Ｇ，４００Ｂを用いたプロジェクタを例示して説明したが、本発明はこれに限定されるものではなく、１つ、２つ又は４つ以上の液晶装置を用いたプロジェクタにも適用可能である。
【００８０】
（４）上記各実施形態のプロジェクタ１０００〜１００６は、電気光学変調装置として液晶装置を用いているが、本発明はこれに限定されるものではない。電気光学変調装置としては、一般に、画像情報に応じて入射光を変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。
【００８１】
（５）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【００８２】
【図１】実施形態１に係るプロジェクタ１０００を説明するために示す図。
【図２】回転プリズム７７０の回転と画像形成領域Ｓ上における照明状態との関係を示す図。
【図３】画像形成領域Ｓ上で照度差が生じる原因を説明するために示す図。
【図４】画像形成領域Ｓ上の面内照度分布を示す図。
【図５】画像形成領域Ｓ上の照度差がスクリーンＳＣＲ上での面内表示特性を劣化させる様子を示す図。
【図６】実施形態１に係るプロジェクタ１０００の効果を説明するために示す図。
【図７】実施形態１に係るプロジェクタ１０００の効果を説明するために示す図。
【図８】実施形態２に係るプロジェクタ１００２の効果を説明するために示す図。
【図９】実施形態２に係るプロジェクタ１００２の効果を説明するために示す図。
【図１０】実施形態３に係るプロジェクタ１００４の光学系を示す図。
【図１１】実施形態４に係るプロジェクタ１００６の光学系を示す図。
【図１２】従来のプロジェクタ９００Ａを説明するために示す図。
【図１３】従来の他のプロジェクタ９００Ｂを説明するために示す図。
【符号の説明】
【００８３】
１００…照明装置、１００ａｘ…照明光軸、１１０…光源装置、１１２…発光管、１１４…楕円面リフレクタ、１１６…補助ミラー、１１８…平行化レンズ、１２０…第１レンズアレイ、１２２…第１小レンズ、１３０…第２レンズアレイ、１４０…偏光変換素子、１５０…重畳レンズ、１７６Ｒ，１７６Ｇ，１９８，２４４，２４６，２４８，７５０，７５２…フィールドレンズ、１９０…ダブルリレー光学系、１９１，１９２，１９４，１９５，１９７，２４０，２４２，７５４…リレーレンズ、１９３，１９６，２１２，２１６，２１８，２２０，２２２，２６４…反射ミラー、２００，２０２…色分離導光光学系、２１０，２１４，２６０，２６２…ダイクロイックミラー、４００Ｒ，４００Ｇ，４００Ｂ…液晶装置、５００…クロスダイクロイックプリズム、６００…投写光学系、７００，７０２…遮光部材、７１０，７１２…開口部、７７０…回転プリズム、７７２…回転軸、９００Ａ，９００Ｂ，１０００，１００６…プロジェクタ、Ｌ…照明光束が照射される領域、Ｐ…照明光軸上における第１小レンズの仮想中心点の像、Ｓ…画像形成領域、ＳＣＲ…スクリーン
【図１０】
2006235161.tif 000003
【図１２】
2006235161.tif 000004
【図１３】
2006235161.tif 000005
【図１】
2006235161.tif 000006
【図２】
2006235161.tif 000007
【図３】
2006235161.tif 000008
【図４】
2006235161.tif 000009
【図５】
2006235161.tif 000010
【図６】
2006235161.tif 000011
【図７】
2006235161.tif 000012
【図８】
2006235161.tif 000013
【図９】
2006235161.tif 000014
【図１１】
2006235161.tif 000015